(57)【特許請求の範囲】
【請求項１】
前面が開放され、この開放面に冷気によるエアカーテンが形成されるようにしたケース本体の両側板の少なくともいずれか一方に、ヒータにより防曇、防結露対策が施された風防ガラス又は商品投影用のミラーを装着してなる冷蔵オープンショーケースにおいて、
前記ヒータのリード線を、側板の上部を挿通してケース本体上部の空間部内に導出し、電源側のリード線と接続したことを特徴とする冷蔵オープンショーケース。
【請求項２】
ヒータのリード線と電源側のリード線との接続を、コンセントとプラグとのコネクタ接続構造とし、それらの一方をヒータのリード線に接続して側板のケース本体側の内面に取付けた請求項１に記載の冷蔵オープンショーケース。
【発明の詳細な説明】
【０００１】
【発明の属する技術の分野】
本発明は、スーパーマーケットやコンビニエンスストア等において使用される冷蔵オープンショーケースに係り、特に、ケース本体の側面の風防ガラスやミラーの防曇、防結露用ヒータのリード線の配線構造を改変した冷蔵オープンショーケースに関する。
【０００２】
【従来の技術】
スーパーマーケット等において使用される冷蔵オープンショーケースの中には、前面が開放された外ケースと内ケースとの間に、内部に冷却器と送風機とを収容した冷気循環経路を形成し、上部の冷気吹出口より、ケース本体の下部前端縁の冷気取込口に向かって冷気を吹き出すことにより、開放された前面にエアカーテンを形成し、庫内商品を保冷するようにしたものがある。
【０００３】
また、このような冷蔵オープンショーケースの左右の側板の一部に、庫外から庫内商品を視認するための透明な風防ガラスや、庫内商品を投影するミラーを取付けたものもある。
【０００４】
風防ガラスやミラーを有するオープンショーケースにおいては、庫外と庫内の温度差により、風防ガラスやミラーが曇ったり、結露が発生することがあるため、風防ガラスの周囲やミラーの裏面にヒータ線を配線して、防曇、防結露対策を講じている。
【０００５】
【発明が解決しようとする課題】
上述のようなヒータ線のリード線０４は、従来、図６に示されるように、風防ガラスやミラー０１の下端より導出させ、側板０２を挿通してケース本体０３内の下部において、電源側のリード線０５と直に結線しているため、作業性が悪く、また、側板０２をケース本体０３に取付ける際に、側板０２より引き出したリード線０４を挟み込んで断線等を起こす危険性があるため、注意して側板０２を取付ける必要があった。
【０００６】
また、ヒータ側のリード線０４と電源側のリード線０５とを直に結線しているため、レイアウトの変更等により側板０２を取外す必要が生じた際に、配線を途中で切断しなければならず、再接続が困難となる。
【０００７】
さらに、ケース本体０３内の下部には、水滴等が溜まり易く、高湿気状態にあるため、結線部が錆びて腐食したり、リード線０４、０５の被覆が劣化して漏電することもあり、定期的に点検する必要があった。
【０００８】
本発明は、上記問題点を解決するためになされたもので、風防ガラスやミラーのヒータ線に給電するリード線の配線構造を改変することにより、配線作業を容易とするとともに、配線を途中で切断することなく側板等を取外すことができ、かつ漏電等の発生を防止しうるようにした冷蔵オープンショーケースを提供することを目的としている。
【０００９】
【課題を解決するための手段】
前記問題点を解決するために、本発明の冷蔵オープンショーケースは、前面が開放され、この開放面に冷気によるエアカーテンが形成されるようにしたケース本体の両側板の少なくともいずれか一方に、ヒータにより防曇、防結露対策が施された風防ガラス又は商品投影用のミラーを装着してなる冷蔵オープンショーケースにおいて、前記ヒータのリード線を、側板の上部を挿通してケース本体上部の空間部内に導出し、電源側のリード線と接続したことを特徴としている。
この特徴によれば、ヒータのリード線を側板の上部を挿通してケース本体の上部に導出し、電源側のリード線と接続するようにしているため、従来に比して配線作業が容易となるとともに、接続部に水滴等が侵入して腐食し、漏電等の発生する恐れはなくなる。
【００１０】
本発明の冷蔵オープンショーケースは、ヒータのリード線と電源側のリード線との接続を、コンセントとプラグとのコネクタ接続構造とし、それらの一方をヒータのリード線に接続して側板のケース本体側の内面に取付けることが好ましい。
このようにすれば、コネクタ接続であるため、従来の直結線に比べて配線作業は極めて容易となる。
また、コンセントとプラグの一方をヒータのリード線に接続して側板の内側面に取付けることにより、レイアウトの変更等により側板をケース本体より取外す際に、配線を切断することなく、プラグをコンセントより抜き取るだけで、簡単に取外すことができ、再接続も容易となる。
【００１１】
【発明の実施の形態】
以下、本発明の一実施形態を図面に基づいて説明する。図１は本発明の適用された冷蔵オープンショーケースを示す外観斜視図、図２は、図１の冷蔵オープンショーケースの要部縦断面図、図３は冷蔵オープンショーケースの側面を構成する側板とこの側板に取付けられる風防ガラスとを示す分解斜視図、図４は、風防ガラスの一部拡大断面図、図５は、図１の冷蔵オープンショーケースを構成するケース本体と側板との取付け状況を示す一部破断正面図である。
【００１２】
先ず図１、図２には、本発明の適用された冷蔵オープンショーケース１が示されている。図１、図２における２は、内ケース３及び断熱筐体としての外ケース８とからなるケース本体、４はケース本体２の両側部にボルトにて固着される側板であり、これらケース本体２、側板４により前方に開放する保冷庫としての商品陳列用空間部６が構成されており、内ケース３の背面に固着された複数の陳列棚７により商品を多段に陳列できるようになっている。また、ケース本体２の上部前端には、内部に空間部Ｓ１が形成され、両側端が開口する筒状のキャノピー部５が長手方向に設けられている。
【００１３】
内ケース３と、その外側に配設される外ケース８との間には、冷気循環経路としての冷気を挿通する挿通路９が設けられており、この挿通路９内に設けられるファン１０を駆動させ、商品陳列用空間部６の前方下部に設けられる取込口１１から空気を取り込むとともに、取り込んだ空気を図示しない冷却装置により冷却し、図中矢印方向に対流させることで、商品陳列用空間部６内を、冷凍食品や生鮮食料品等を陳列可能な所定温度まで冷却できるようになっている。
【００１４】
また、商品陳列用空間部６の前方上部に設けられた吹出口１２からは下方の取込口１１に向けて冷気が吹出され、商品陳列用空間部６の前面にエアーカーテンが作り出されるため、商品陳列用空間部６内の冷気の拡散や外部からの熱進入が防止され、商品陳列用空間部６内の温度が一定に保持されるようになっている。
【００１５】
キャノピー部５の前面所定箇所には、前述の冷却装置の制御を実施するコントロールパネル１８が設けられている。
【００１６】
また、キャノピー部５の空間部Ｓ１にはコントロールパネル１８から延びるケーブルや後述するリード線２６が配線されており、これらケーブルやリード線２６は、ケース本体２内所定箇所を挿通して、図示しない冷却装置や電源装置等に接続されている。
【００１７】
側板４は、図３に示されるように、前方が開放する略コ字状に形成されており、この開放部に風防ガラス１５が装着されている。さらに詳述すると、側板４は、左右側面をなす化粧板４ａ、４ｂと、両化粧板４ａ、４ｂ間に挟持される枠板４ｃとから構成されており、その内部には断熱材２９（図４参照）が充填されている。
【００１８】
また、側板４の上部前端には空間部Ｓ２が形成されているとともに、ケース本体２側の化粧板４ａにおける空間部Ｓ２と対応する位置には、後述のコンセントプラグ２７の差込口が外部に露呈するようにコンセントボックス２５が取付けられている。
【００１９】
風防ガラス１５は、図３に示されるように側板４の開放部とほぼ同形に形成された３枚のガラス板２１とこれらガラス板２１の周縁に沿うように配置可能な環状のパッキン２２とから構成されており、図４に示されるように、各ガラス板２１間に所定幅の空気層を有する三層構造に形成される。このように形成された風防ガラス１５は、側板４の開放部に形成された取付け溝２３内に嵌装されるとともに、その前面には保護カバー２０が取付けられ、風防ガラス１５の前端面が外部に露呈しないようになっている。
【００２０】
また、これらパッキン２２の外周面には凹溝２２ａが全周に渡って形成されており、この凹溝２２ａ内には、ヒータ線２４ａが配線されており、このヒータ線２４ａにより前述の空気層が加温され、内外の温度差による風防ガラス１５の曇りや結露を防止できるようになっている。
【００２１】
このヒータ線２４ａは、パッキン２２の上部所定箇所にてリード線２４ｂに結線され、このリード線２４ｂの一端は、開放部上方の枠板４ｃ所定箇所に設けられた開口部２８を介して空間部Ｓ２に導出され、コンセントボックス２５に接続されている。
【００２２】
次に、このように構成されたケース本体２と側板４との取付け及び取外し要領について説明する。まず、取付け要領について説明すると、図５に示されるように、ケース本体２の両側部近傍に側板４を配置するとともに、キャノピー部５内の空間部Ｓ１より引き出したリード線２６のコンセントプラグ２７を側板４のコンセントボックス２５の差込口に差し込む。
【００２３】
次いで、側板４のケース本体２に対向する面をケース本体２の側面に当接させ、この状態で図示しないボルトにより両者を一体に固着することで、ケース本体２と側板４とが取付けられる。
【００２４】
ここで、キャノピー部５は、ケース本体２の下部のように、冷気循環路が設けられておらず、空間部Ｓ１の両側端が広く開放された構造となっているため、従来のようにケース本体２と側板４との間にリード線２６が挟まれて断線することがない。
【００２５】
また、これらケース本体２と側板４を取外す場合は、まず、ボルトを外し、側板４をケース本体２から若干離間させた状態に配置し、この状態で、コンセントボックス２５に差し込まれたコンセントプラグ２７を抜き取るだけで、側板４をケース本体２から取外すことができる。
【００２６】
以上のように、本実施例における冷蔵オープンショーケース１にあっては、風防ガラスの防曇、防結露対策としてのヒータ線２４ａから導出されたリード線２４ｂが側板４内に挿通され、この側板４の上部前端に設けられたコンセントボックス２５に接続され、このコンセントボックス２５は、ケース本体２上部の空間部Ｓ１内に導出された電源供給用のリード線２６のコンセントプラグ２７を接続できるようになっているため、従来のように、ヒータ線から導出されたリード線２４ｂと電源供給用のリード線２６とを、冷気循環経路等が設けられたケース本体２の下部にて接続される場合に比べて、接続作業が容易であるばかりか、接続部やリード線２４ｂ、２６に、冷気循環路である挿通路９に結露した水滴等が侵入して腐食し、漏電等が発生する恐れがなくなる。
【００２７】
また、ヒータ線２４ａから導出されるリード線２４ｂと、電源供給用のリード線２６とが、コンセントボックス２５並びにコンセントプラグ２７とのコネクタ接続構造とされているため、従来の結線接続に比べてこれらリード線２４ｂと２６との配線作業が極めて容易となる。
【００２８】
また、コンセントボックス２５の差込口が、側板４のケース本体２側に設けられており、このコンセントボックス２５の差込口にコンセントプラグ２７を差し込むことにより両リード線２４ｂ、２６が接続されているため、例えばこれら冷蔵オープンショーケース１をレイアウト変更等により移動する場合等において側板４を取外す場合、従来のようにヒータ線からのリード線２４ｂと電源供給用のリード線２６とが直に結線されていないので、これらリード線２４ｂ、２６を切断することなく、コンセントプラグ２７をコンセントボックス２５より抜き取るだけで、簡単に取外すことができ、さらには、これらの再接続も容易となる。
【００２９】
以上、本発明の実施形態を図面により前記実施例にて説明してきたが、本発明はこれら各実施例に限定されるものではなく、本発明の主旨を逸脱しない範囲における変更や追加があっても本発明に含まれることは言うまでもない。
【００３０】
例えば、本実施例においては、側板４の開放部に風防ガラス１５を装着しているが、庫内商品を投影するためのミラーとしても良い。
【００３１】
また、風防ガラス１５を三層構造としているが、このように多層構造とせず、１枚ガラスとしても良く、これら風防ガラスは、ヒータ線を設けることで、防曇、防結露対策が施されたものであれば良い。
【００３２】
【発明の効果】
本発明は次の効果を奏する。
【００３３】
（ａ）請求項１の発明によれば、ヒータのリード線を側板の上部を挿通してケース本体の上部に導出し、電源側のリード線と接続するようにしているため、従来に比して配線作業が容易となるとともに、接続部に水滴等が侵入して腐食し、漏電等の発生する恐れはなくなる。
【００３４】
（ｂ）請求項２の発明によれば、コネクタ接続であるため、従来の直結線に比べて配線作業は極めて容易となる。
また、コンセントとプラグの一方をヒータのリード線に接続して側板の内側面に取付けることにより、レイアウトの変更等により側板をケース本体より取外す際に、配線を切断することなく、プラグをコンセントより抜き取るだけで、簡単に取外すことができ、再接続も容易となる。
【図面の簡単な説明】
【図１】本発明の適用された冷蔵オープンショーケースを示す外観斜視図である。
【図２】図１の冷蔵オープンショーケースの要部縦断面図である。
【図３】図１の冷蔵オープンショーケースの側面を構成する側板とこの側板に取付けられる風防ガラスとを示す分解斜視図である。
【図４】本実施例における風防ガラスの一部拡大断面図である。
【図５】図１の冷蔵オープンショーケースを構成するケース本体と側板との取付け状況を示す一部破断正面図である。
【図６】本発明の従来技術を示す一部破断正面図である。
【符号の説明】
１        冷蔵オープンショーケース
２        ケース本体
３        内ケース
４        側板
４ａ、ｂ  化粧板
４ｃ      枠板
５        キャノピー部
６        商品陳列用空間部
７        陳列棚
８        外ケース
９        挿通路
１０      ファン
１１      取込口
１２      吹出口
１５      風防ガラス
１８      コントロールパネル
１９      ボルト
２０      保護カバー
２１      ガラス板
２２      パッキン
２２ａ    凹溝
２３      取付け溝
２４ａ    ヒータ線
２４ｂ    リード線
２５      コンセントボックス
２６      リード線
２７      コンセントプラグ
２８      開口部
Ｓ１      空間部
Ｓ２      空間部
【図１】
0004076694.tif 000002
【図２】
0004076694.tif 000003
【図３】
0004076694.tif 000004
【図４】
0004076694.tif 000005
【図５】
0004076694.tif 000006
【図６】
0004076694.tif 000007